(57)【要約】      （修正有）【課題】環境保護と低コスト化を図ることができる包装用紙パレットを提供する。【解決手段】支持ステージ１１と包装用保護フレーム１０２を有し、前記支持ステージは、複数の縦方向支持部材１１１と複数の横方向支持部材１１２を有し、これらの縦方向支持部材と横方向支持部材にて支持ステージを構成し、前記包装用保護フレームは、複数枚の側プレート１１３からなり、前記支持ステージの周縁に前記包装用保護フレームを嵌合することによって包装用紙パレットを構成する。支持ステージの周縁に、包装用保護フレームを嵌め合うことにより、搬送物を搬送するための包装箱になる。【選択図】図１
0003168404.tif 000002
【実用新案登録請求の範囲】
【請求項１】
複数の縦方向支持部材と複数の横方向支持部材からなる支持ステージを有し、前記縦方向支持部材と横方向支持部材との結合面における、前記縦方向支持部材に複数の第１嵌合溝が形成されると共に、前記横方向支持部材に前記第１嵌合溝の数量に対応する第２嵌合溝が形成され、前記第１嵌合溝と第２嵌合溝が互いに対応し合うことにより、これらの縦方向支持部材と横方向支持部材が前記第１嵌合溝と第２嵌合溝にて構成する支持ステージであって、
前記支持ステージの周縁に包装用保護フレームが嵌合され、前記包装用保護フレームは、複数枚の側プレートからなり、前記側プレートは、フレームになるように前記支持ステージの周縁に配列され、前記側プレートの嵌合箇所に複数の第３嵌合溝が形成され、これらの側プレートが前記第３嵌合溝にて前記包装用保護フレームを構成し、前記包装用保護フレームに前記支持ステージとの嵌合用の第４嵌合溝が形成され、前記包装用保護フレームが前記第４嵌合溝にて前記支持ステージの周縁に嵌合されることにより構成することを特徴とする包装用紙パレット。
【請求項２】
前記支持ステージと前記包装用保護フレームを嵌め合った後、物品の収容空間が形成され、前記包装用保護フレームと前記物品との間に更に複数のクッション材が設けられることを特徴とする請求項１に記載の包装用紙パレット。
【請求項３】
前記クッション材は、ブラスチックバッグであり、前記ブラスチックバックに空気が充填されることを特徴とする請求項２に記載の包装用紙パレット。
【請求項４】
前記包装用紙パレットは、更に上部カバーを備え、前記上部カバーは、物品の上部に設けられ、前記上部カバーと物品との間における隙間に前記クッション材が充填されることを特徴とする請求項２に記載の包装用紙パレット。
【請求項５】
前記支持ステージの縦方向支持部材と横方向支持部材に物品の底部形状に応じて少なくとも一つの窪み部が形成されることを特徴とする請求項２に記載の包装用紙パレット。
【請求項６】
前記包装用保護フレームは、前記支持ステージにおける、縦方向支持部材と横方向支持部材との最も外側の外部における結合面の周縁に嵌合することを特徴とする請求項１に記載の包装用紙パレット。
【請求項７】
前記包装用保護フレームは、前記支持ステージにおける、縦方向支持部材と横方向支持部材との最も外側の内部における結合面の周縁に嵌合することを特徴とする請求項１に記載の包装用紙パレット。
【請求項８】
前記縦方向支持部材と横方向支持部材は、一枚の段ボール紙を折り畳んでなり、まず段ボール紙を両側から中央に折り畳んで、次に段ボール紙の中心線に沿って段ボール紙を折り畳んで、最後に段ボール紙の末端を両側へ折り畳むことにより、肉厚の上部を有するＴ字形の断面構造に構成することを特徴とする請求項１に記載の包装用紙パレット。
【考案の詳細な説明】
【技術分野】
【０００１】
本考案は、特に一枚の段ボール紙を折り畳んでなる支持部材が相互に嵌め合われる支持ステージの周縁に、包装用保護フレームを嵌め合うことにより、搬送物を搬送するための包装箱になる包装用紙パレットに関するものである。
【背景技術】
【０００２】
一般に製品を販売し出す時に、製品搬送時の保護のために又は製品の表面を衝撃で損傷しないために、前記売り出しだ製品を包装箱に置き込むことがある。従来の製品を搬送するための包装箱は、発泡スチロールの下底プレートを採用し、発泡スチロールは、軽質、硬く及び安いメリットがあるため、包装箱によく使用されている。しかし、発泡スチロールは、自然界で分解し難く、且つ燃焼で有害の気体を発生してしまうので、自然環境に大変な破壊を与え、これらの使用制限又は使用禁止しなければ、世界的な環境危機に及ぼす恐れがある。
【０００３】
このため、発泡スチロールの使用禁止は、世界の各国に実行されている政策になり、その影響は、包装箱の支持構造に対して他の材質を使用しなければならない。現在の支持構造は、木質又は金属のフレームを採用し、この木質又は金属のフレームの構造が強く、より重い物体を支持することができるが、その重さも高いので、搬送工具又は搬送コストに悪影響を与えてしまう。更に、木質又は金属のフレームを回収しにくく、製造コストも高いため、勝手に捨て置くと、環境にも負担がある。
【０００４】
そのため、紙パレットの使用は、現代包装箱構造の趨勢でもあり、紙パレットの発展ももたらしている。従来の紙パレットの構造は、横方向と縦方向に交差的に配列される紙プレートを有し、この横方向と縦方向の交差によって交差の結合面になると共に、複数の結合面によってネット状の支持体になることにより、十分な支持効果を提供する。又、前記紙プレートは、よく使用されているものであるため、特に特許文献や非特許文献に記載されていない。
【考案の概要】
【考案が解決しようとする課題】
【０００５】
しかしながら、前記紙プレートは、折り畳んでいる物品の支持や搬送のためにしか使用しないが、包装と搬送のための包装箱として使用する特殊な構造を有しないので、多功能の要求に対応することができず、更に改良する必要がある。
【課題を解決するための手段】
【０００６】
本考案の一つの目的は、発泡スチロールの下底プレート、木質又は金属のフレークの使用の代わりに、支持ステージとして紙パレットを使用することにより、環境保護と低コスト化を図ることができる包装用紙パレットを提供する。
【０００７】
本考案のほかの目的は、クッション材を結合することにより、優れたクッション効果を有する包装用紙パレットを提供する。
【０００８】
本考案の更にほかの目的は、一枚の段ボール紙を折り畳んでなる支持部材が相互に嵌め合われる支持ステージの周縁に、包装用保護フレームを嵌め合うことにより、搬送物を搬送するための包装箱になる包装用紙パレットを提供する。
【０００９】
上記の目的を達成するために本考案の包装用紙パレットは、支持ステージと包装用保護フレームを有し、前記支持ステージは、複数の縦方向支持部材と複数の横方向支持部材を有し、これらの縦方向支持部材と横方向支持部材は、一枚の段ボール紙を折り畳んでなり、これらの縦方向支持部材と横方向支持部材は、ネット状に配列されると共に、少なくとも一つの結合面が形成され、前記結合面における、前記縦方向支持部材に第１嵌合溝が形成されると共に、前記横方向支持部材に第２嵌合溝が形成され、前記第１嵌合溝と第２嵌合溝が互いに対応し合うことにより、これらの縦方向支持部材と横方向支持部材が前記第１嵌合溝と第２嵌合溝にて支持ステージを構成し、前記支持ステージの周縁に前記包装用保護フレームが設けられ、前記包装用保護フレームは、複数枚の側プレートからなり、これらの側プレートが前記支持ステージの周縁に配列されて組合せ、これらの側プレートの嵌合箇所に複数の第３嵌合溝が形成され、前記包装用保護フレームに前記支持ステージとの嵌合用の第４嵌合溝が形成され、前記支持ステージの周縁に前記包装用保護フレームを嵌合することによって包装用紙パレットを構成する。前記クッション材は前記包装用保護フレームと搬送しようとする物品との間における隙間に充填されることにより、前記物品にクッション効果を提供する。
【考案の効果】
【００１０】
本考案は上記の課題を解決するものであり、使用時に、前記包装用保護フレームを組立ててた支持ステージである本考案の包装用紙パレットを介して大型物品の搬送用包装箱になり、且つ本考案の包装用紙パレットは、製造コストが低く、重量が軽く、虫害がないメリットが有するだけではなく、完全に回収されて再利用することができる。
【図面の簡単な説明】
【００１１】
【図１】本考案に係る包装用紙パレットの斜視図である。
【図２】本考案に係る包装用紙パレットの分解斜視図である。
【図３】本考案に係る包装用紙パレットの平面図である。
【図４】本考案に係る包装用紙パレットの他の平面図である。
【図５】本考案に係る包装用紙パレットの使用状態を示す斜視図である。
【図６】本考案に係る包装用紙パレットの第２実施例を示す斜視図である。
【図７】本考案に係る包装用紙パレットの第３実施例を示す分解斜視図である。
【図８】本考案に係る包装用紙パレットの第４実施例を示す分解斜視図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１、図５に示すように、本考案に係わる包装用紙パレット（１）の第１実施例は、従来の紙パレットと本考案の包装用保護フレーム（１０２）を組立てるからなり、物品包装と搬送のために支持ステージとして使用される。
【００１４】
前記包装用紙パレット（１）は、支持ステージ（１１）と、包装用保護フレーム（１０２）と、複数のクッション材（３１）とを有する。
【００１５】
図１及び図２に示すように、前記支持ステージ（１１）は、複数の縦方向支持部材（１１１）と複数の横方向支持部材（１１２）を有し、これらの縦方向支持部材（１１１）と横方向支持部材（１１２）は、一枚の段ボール紙を折り畳んでなり、これらの縦方向支持部材（１１１）と横方向支持部材（１１２）は、ネット状に配列されると共に、少なくとも一つの結合面が形成され、前記結合面における、前記縦方向支持部材（１１１）に第１嵌合溝（１１１１）が形成されると共に、前記横方向支持部材（１１２）に第２嵌合溝（１１２１）が形成され、前記第１嵌合溝（１１１１）と第２嵌合溝（１１２１）が互いに対応し合うことにより、これらの縦方向支持部材（１１１）と横方向支持部材（１１２）が前記第１嵌合溝（１１１１）と第２嵌合溝（１１２１）にて支持ステージ（１１）を構成する。
【００１６】
前記支持ステージ（１１）の周縁に前記包装用保護フレーム（１０２）が設けられ、前記包装用保護フレーム（１０２）は、複数枚の側プレート（１１３）からなり、これらの側プレート（１１３）が前記支持ステージ（１１）の周縁に配列されて組合せ、これらの側プレート（１１３）の嵌合箇所に複数の第３嵌合溝（１１３１）が形成され、前記側プレート（１１３）がこれらの第３嵌合溝（１１３１）によって包装用保護フレーム（１０２）を構成し、前記包装用保護フレーム（１０２）に前記支持ステージとの嵌合用の第４嵌合溝（１１３２）が形成され、前記支持ステージ（１１）の周縁に第４嵌合溝（１１３２）にて前記包装用保護フレーム（１０２）を嵌合することによって包装用紙パレット（１）を構成する。
【００１７】
図５に示すように、前記支持ステージ（１１）と前記包装用保護フレーム（１０２）を嵌合した後、物品（４）（例えば冷蔵庫）を収容するための収容空間が形成され、前記包装用保護フレーム（１０２）と前記物品（４）との間に更に複数のクッション材（３１）が設けられることにより、前記包装用保護フレーム（１０２）と前記物品（４）との間における隙間を充填し、前記物品（４）の保護を強化する。
【００１８】
前記包装用保護フレーム（１０２）の側プレート（１１３）の高さは、搬送しようとする物品（４）の高さに応じて調整することができ、即ち、高い／低い物品（４）を包装する際、前記包装用保護フレーム（１０２）の側プレート（１１３）は、一枚の大きい/小さい段ボール紙を折り畳んで高い／低い側プレート（１１３）になり、これらの側プレート（１１３）にて高い／低い包装用保護フレーム（１０２）を構成し、これにより、高い／低い物品（４）を包装することができる。
【００１９】
前記クッション材（３１）の高さは、包装/搬送しようとする物品（４）に応じて調整することにより、物品（４）の全ての周囲を包覆することができ、又、前記包装用保護フレーム（１０２）の側プレート（１１３）の高さに応じても調整することができ、これにより、前記クッション材（３１）が前記包装用保護フレーム（１０２）と前記物品（４）との間における隙間を充填することができ、又は、前記クッション材（３１）にて前記物品（４）の周囲を包覆することができる。
【００２０】
これによれば、前記包装用保護フレーム（１０２）を組立ててた支持ステージ（１１）である本考案の包装用紙パレット（１）を介して大型物品（４）の搬送用包装箱になり、且つ本考案の包装用紙パレット（１）は、発泡スチロールの下底プレート、木質又は金属のフレークの使用の代わりに、支持ステージ（１１）として紙パレットを使用することにより、製造コストが低く、重量が軽く、虫害がないメリットが有するだけではなく、完全に回収されて再利用することができる。
【００２１】
又、前記クッション材（３１）は、ブラスチックバッグであり、前記ブラスチックバックに空気が充填されることにより、弾性を有し、物品（４）を搬送する際の衝撃力を緩衝することができる（図５に示すように）。
【００２２】
前記包装用紙パレット（１）は、更に上部カバー（５１）を備え、前記上部カバー（５１）は、物品（４）の上部に設けられ、前記上部カバー（５１）と物品（４）との間における隙間に前記クッション材（３１）が充填されることにより、物品（４）の上部（４１）を保護し、衝撃で前記上部（４１）の損傷を防止する（図５に示すように）。
【００２３】
図３及び図４に示すように、前記支持ステージ（１１）の外周縁に前記包装用保護フレーム（１０２）を嵌合し（図３に示すように）、又は、前記支持ステージ（１１）における、縦方向支持部材（１１１）と横方向支持部材（１１２）との最も外側の内における結合面の周縁に前記包装用保護フレーム（１０２）を嵌合することができる（図４に示すように）。
【００２４】
図６に示すように、前記支持ステージ（１１）の縦方向支持部材（１１１）と横方向支持部材（１１２）に物品（４）の底部形状に応じて少なくとも一つの窪み部（１１４）が形成されることにより、下部に突出部を有する物品（４）でも前記支持ステージ（１１）に安定的に設置することができる。
【００２５】
図１及び図２に示すように、前記縦方向支持部材（１１１）と横方向支持部材（１１２）は、一枚の段ボール紙を折り畳んでなり、まず段ボール紙を両側から中央に折り畳んで、次に段ボール紙の中心線に沿って段ボール紙を折り畳んで、最後に段ボール紙の末端を両側へ折り畳むことにより、肉厚の上部を有するＴ字形の断面構造に構成する。
【００２６】
図７に示すように、本特許の第２実施例によると、前記支持ステージ（１１）は、何れかの形状を有することができ、前記縦方向支持部材（１１１）と横方向支持部材（１１２）は、複数枚の段ボール紙を折り畳むからなり、前記縦方向支持部材（１１１）と横方向支持部材（１１２）の断面は回字形になり、これらの縦方向支持部材（１１１）と横方向支持部材（１１２）は、ネット状に配列されると共に、少なくとも一つの結合面が形成され、前記結合面における、前記縦方向支持部材（１１１）に第１嵌合溝（１１１１）が形成されると共に、前記横方向支持部材（１１２）に第２嵌合溝（１１２１）が形成され、前記第１嵌合溝（１１１１）と第２嵌合溝（１１２１）が互いに対応し合うことにより、これらの縦方向支持部材（１１１）と横方向支持部材（１１２）が前記第１嵌合溝（１１１１）と第２嵌合溝（１１２１）にて支持ステージ（１１）を構成する。
【００２７】
前記支持ステージ（１１）の周縁に前記包装用保護フレーム（１０２）が嵌合され、前記包装用保護フレーム（１０２）は、複数枚の側プレート（１１３）からなり、前記側プレート（１１３）は、フレームになるように前記支持ステージ（１１）の周縁に配列され、前記側プレート（１１３）の嵌合箇所に複数の第３嵌合溝（１１３１）が形成され、これらの側プレート（１１３）が前記第３嵌合溝（１１３１）にて前記包装用保護フレーム（１０２）を構成し、前記包装用保護フレーム（１０２）に前記支持ステージ（１１）との嵌合用の第４嵌合溝（１１３２）が形成され、前記包装用保護フレーム（１０２）が前記第４嵌合溝（１１３２）にて前記支持ステージ（１１）の周縁に嵌合されることにより、包装用紙パレット（１）を構成する。
【００２８】
図８に示すように、本考案の第３実施例において、前記支持ステージ（１１）は、何れかの形状を有することができ、前記縦方向支持部材（１１１）と横方向支持部材（１１２）は、一枚の段ボール紙を折り畳んでなり、まず段ボール紙を両側から中央に折り畳んで、次に段ボール紙の中心線に沿って段ボール紙を折り畳むことにより、肉厚を有する構造に構成する。
【００２９】
これらの縦方向支持部材（１１１）と横方向支持部材（１１２）は、ネット状に配列されると共に、少なくとも一つの結合面が形成され、前記結合面における、前記縦方向支持部材（１１１）に第１嵌合溝（１１１１）が形成されると共に、前記横方向支持部材（１１２）に第２嵌合溝（１１２１）が形成され、前記第１嵌合溝（１１１１）と第２嵌合溝（１１２１）が互いに対応し合うことにより、これらの縦方向支持部材（１１１）と横方向支持部材（１１２）が前記第１嵌合溝（１１１１）と第２嵌合溝（１１２１）にて支持ステージ（１１）を構成する。
【００３０】
前記支持ステージ（１１）の周縁に前記包装用保護フレーム（１０２）が嵌合され、前記包装用保護フレーム（１０２）は、複数枚の側プレート（１１３）からなり、前記側プレート（１１３）は、フレームになるように前記支持ステージ（１１）の周縁に配列され、前記側プレート（１１３）の嵌合箇所に複数の第３嵌合溝（１１３１）が形成され、これらの側プレート（１１３）が前記第３嵌合溝（１１３１）にて前記包装用保護フレーム（１０２）を構成し、前記包装用保護フレーム（１０２）に前記支持ステージ（１１）との嵌合用の第４嵌合溝（１１３２）が形成され、前記包装用保護フレーム（１０２）が前記第４嵌合溝（１１３２）にて前記支持ステージ（１１）の周縁に嵌合されることにより、包装用紙パレット（１）を構成する。
【００３１】
本考案に係わる包装用紙パレット（１）を使用するとき、先ず搬送しようとする物品（４）の底部を前記支持ステージ（１１）の包装用保護フレーム（１０２）内に置き込み、次に前記上部カバー（５１）を設置し、最後に前記上部カバー（５１）と前記物品（４）の上部（４１）との間における隙間に前記クッション材（３１）を充填することにより、前記物品（４）の包装を完成する。
【産業上の利用可能性】
【００３２】
本考案は上記の構成を有するので、従来の包装用パレットに比べて下記のようなメリットを有する。
1. 発泡スチロールの下底プレート、木質又は金属のフレークの使用の代わりに、支持ステージとして紙パレットを使用することにより、製造コストが低く、重量が軽く、虫害がないメリットが有するだけではなく、完全に回収されて再利用することができる。
2. 包装用保護フレームと紙パレットとの結合により、従来のように物品の外部の包装を行う必要がなく、保護効果も向上することができる。
3. クッション材の使用により、優れた緩衝/保護効果を図ることができる。
4. 簡単に包装することができ、低コスト化を図ることができる。
【符号の説明】
【００３３】
１          包装用紙パレット
１０２      包装用保護フレーム
１１        支持ステージ
１１１      縦方向支持部材
１１１１    第１嵌合溝
１１２      横方向支持部材
１１２１    第２嵌合溝
１１３      側プレート
１１３１    第３嵌合溝
１１３２    第４嵌合溝
１１４      窪み部
３１        クッション材
４          物品
４１        上部
５１        上部カバー
【図１】
0003168404.tif 000003
【図２】
0003168404.tif 000004
【図３】
0003168404.tif 000005
【図４】
0003168404.tif 000006
【図５】
0003168404.tif 000007
【図６】
0003168404.tif 000008
【図７】
0003168404.tif 000009
【図８】
0003168404.tif 000010